(57)【要約】【課題】  メモリモジュールを内蔵した情報記録カートリッジを後部から挿入する機構に適した信頼性の高いカートリッジ誤挿入防止装置を提供する。【解決手段】  本発明のカートリッジ誤挿入防止装置は、所定の厚さでほぼ矩形の平面形状を有しその前部の左右いずれかの隅に誤挿入防止用切り欠き部を有する筐体と筐体の内部に格納された記録媒体と管理情報が記録されているメモリモジュールと筐体の後部の左右いずれかに変位した所定の位置に配置されたメモリモジュールの無線通信用アンテナとを有する情報記録カートリッジを後部からカートリッジ収納部に挿入した場合に、無線通信用アンテナが通過する経路上においてメモリモジュールと無線通信可能な位置に配置された管理情報読み取り部と、管理情報読み取り部が記録媒体の管理情報を読み取るか否かに基づいて、情報記録カートリッジの挿入方向が正しいか否かを判定し、判定情報を出力する判定部と、を有する。【選択図】        図１
2005116105.tif 000002
【特許請求の範囲】
【請求項１】
所定の厚さでほぼ矩形の平面形状を有しその前部の左右いずれかの隅に誤挿入防止用切り欠き部を有する筐体と、前記筐体の内部に格納された記録媒体と、管理情報が記録されているメモリモジュールと、前記筐体の後部の左右いずれかに変位した所定の位置に配置された前記メモリモジュールの無線通信用アンテナと、を有する情報記録カートリッジを、後部からカートリッジ収納部に挿入した場合に前記メモリモジュールの無線通信用アンテナが通過する経路上において、又は情報記録カートリッジが後部からカートリッジ収納部に格納された状態において、前記メモリモジュールと無線通信可能な位置に配置された管理情報読み取り部と、
前記管理情報読み取り部が前記記録媒体の管理情報を読み取るか否かに基づいて、前記情報記録カートリッジの挿入方向が正しいか否かを判定し、判定情報を出力する判定部と、
を有することを特徴としたカートリッジ誤挿入防止装置。
【請求項２】
所定の厚さでほぼ矩形の平面形状を有しその前部の左右いずれかの隅に誤挿入防止用切り欠き部を有する筐体と、前記筐体の内部に格納された記録媒体と、管理情報が記録されているメモリモジュールと、前記筐体の後部の左右いずれかに変位した位置に配置された前記メモリモジュールの無線通信用アンテナと、を有する情報記録カートリッジを、後部を前にして挿入された状態で載置するための複数のカートリッジ収納部と、
複数の前記カートリッジ収納部の中から選択された前記カートリッジ収納部を前記情報記録カートリッジをユーザが挿入し又は取り出すための第１の位置に移動させ、複数の前記カートリッジ収納部の中から選択された前記カートリッジ収納部を、前記記録媒体に対して情報を記録及び／又は再生するカートリッジ制御装置のカートリッジ挿入口と対向する位置である第２の位置に移動させる、移動機構と、
前記第１の位置、前記第２の位置及び各カートリッジ収納部の中の少なくとも１箇所に配置された請求項１に記載のカートリッジ誤挿入防止装置と、
を有することを特徴とするカートリッジオートチェンジャ。
【請求項３】
請求項２に記載のオートチェンジャと、
前記情報記録カートリッジを前部を前にして挿入された状態で載置するための第２のカートリッジ収納部と、前記誤挿入防止用切り欠き部を用いて前記情報記録カートリッジが正しい方向に挿入されたか否かを判定し又は前記情報記録カートリッジが誤った方向から挿入されることを防止する第２のカートリッジ誤挿入防止装置と、前記記録媒体に対して情報を記録及び／又は再生する制御部と、を有するカートリッジ制御装置と、
を有することを特徴とするオートチェンジャ付きカートリッジ自動制御装置。
【請求項４】
前記オートチェンジャ付きカートリッジ自動制御装置は、カートリッジ挿入口に前記情報記録カートリッジを収納した状態において自動的に閉じる蓋を更に有し、
前記判定部が前記情報記録カートリッジの挿入方向が正しくないと判定した場合、前記オートチェンジャ付きカートリッジ自動制御装置は前記蓋を閉じないことを特徴とする請求項３に記載のオートチェンジャ付きカートリッジ自動制御装置。
【請求項５】
前記オートチェンジャ付きカートリッジ自動制御装置は、表示部を更に有し、
前記判定部が前記情報記録カートリッジの挿入方向が正しくないと判定した場合、前記表示部は前記情報記録カートリッジの挿入方向が誤っていることを表示することを特徴とする請求項３に記載のオートチェンジャ付きカートリッジ自動制御装置。
【発明の詳細な説明】
【技術分野】
【０００１】
本発明は、メモリモジュールを有する情報記録カートリッジについてのカートリッジ誤挿入防止装置、カートリッジオートチェンジャ及びオートチェンジャ付きカートリッジ自動制御装置に関する。
【背景技術】
【０００２】
近年、ＭＩＣ(Memory In Cassette)やＣＭ(Cassette Memory)等のメモリモジュールを有する情報記録カートリッジ、それに対して情報を記録及び／又は再生するカートリッジ制御装置が市場に広まりつつある。これらの情報記録カートリッジを使用するユーザの間で、複数の情報記録カートリッジを搭載したカートリッジオートチェンジャが求められている。
【０００３】
カートリッジ制御装置は、情報記録カートリッジがカートリッジ制御装置のカートリッジ収納部に誤った方向で挿入されることを防止するカートリッジ誤挿入防止装置を有する。カートリッジ制御装置に搭載されている従来例のカートリッジ誤挿入防止装置を説明する。
ＭＩＣ又はＣＭ等のメモリモジュールを内蔵した情報記録カートリッジは、所定の厚さでほぼ矩形の平面形状を有しその前部の左隅に誤挿入防止用切り欠き部を有する筐体と、筐体の内部に格納された記録媒体と、管理情報が記録されているメモリモジュールと、筐体の後部の左右いずれかに変位した所定の位置に配置されたメモリモジュールの無線通信用アンテナと、を有する。明細書、特許請求の範囲、要約書において、左右の方向は、前部を上、後部を下にした情報記録カートリッジを上から見た時の方向を示す。
【０００４】
従来例のカートリッジ誤挿入防止装置は、情報記録カートリッジの物理的な外形形状の違いを利用して、物理的に情報記録カートリッジの誤挿入を防止していた。カートリッジ制御装置のカートリッジ収納部は、情報記録カートリッジが正しい方向に挿入された場合に誤挿入防止用切り欠き部が来る位置に、カートリッジ誤挿入防止装置である突起部を有する。カートリッジ収納部の突起部は、情報記録カートリッジが正しい方向に挿入された場合には情報記録カートリッジと物理的に干渉しないが、情報記録カートリッジが誤った方向に挿入された場合には情報記録カートリッジと物理的に干渉する（即ち、実際には情報記録カートリッジを挿入できない）。
【０００５】
図４は、従来のカートリッジ制御装置のカートリッジ誤挿入防止装置の機能を説明するための図である。図４において、２はカートリッジ制御装置、３は情報記録カートリッジを模式的に示す。カートリッジ制御装置２は、カートリッジ誤挿入防止装置である突起部１２を有する。情報記録カートリッジ３は、その前部の左側に誤挿入防止用切り欠き部１１を有する。図４（ａ）及び（ｂ）は、上から見たカートリッジ制御装置２及び情報記録カートリッジ３を模式的に示す。図４（ａ）は、ユーザが情報記録カートリッジ３を正しい方向（「正規方向」と呼ぶ。）からカートリッジ制御装置２に挿入すると、情報記録カートリッジ３がカートリッジ誤挿入防止装置である突起部１２に邪魔されずに、カートリッジ制御装置２の所定の位置に格納される様子を示す（正規の挿入時）。図４（ｂ）は、ユーザが情報記録カートリッジ３を誤った方向からカートリッジ制御装置２に挿入すると、情報記録カートリッジ３の前縁がカートリッジ誤挿入防止装置である突起部１２に当たって引っかかり、情報記録カートリッジ３が途中までしかカートリッジ制御装置２に入らない様子を示す（誤挿入時）。
【０００６】
情報記録カートリッジ３は、正しい方向から挿入された場合のみカートリッジ制御装置２に装着される。カートリッジ誤挿入防止装置は、情報記録カートリッジ３が正しい方向からカートリッジ制御装置２に装着された場合に、情報記録カートリッジ３の筐体によってアクチュエータが駆動されるスイッチを有していても良い。カートリッジ誤挿入防止装置は、スイッチが駆動されたことに基づいて、情報記録カートリッジ３が正しい方向から挿入されたと判定する。
上記の従来例のカートリッジ誤挿入防止装置（物理的に誤挿入を防止する機構）は、カートリッジ制御装置の他、図４（ａ）に示す方向から挿入した情報記録カートリッジ３を複数巻マガジンに収納し、後方（図４（ａ）の上方）に配置したカートリッジ制御装置２に情報記録カートリッジ３を１巻ずつ自動装填するカートリッジオートチェンジャに用いられている。
【０００７】
【特許文献１】特開平０１−１４６１５８号公報
【発明の開示】
【発明が解決しようとする課題】
【０００８】
図１に示すような、カートリッジ制御装置と、回転式のカートリッジオートチェンジャとを有するテープライブラリ装置（カートリッジ自動制御装置）は、情報記録カートリッジを複数のカートリッジ格納部に格納して回転移動させることにより、オートチェンジャに搭載された情報記録カートリッジを任意に選択してその情報を読み取ることができるフレキシブルな制御を行うことが出来る。しかし、回転式のカートリッジオートチェンジャにおいては、情報記録カートリッジを正規方向とは逆の方向から挿入しなければならない。情報記録カートリッジを逆の方向から挿入されたカートリッジ収納部は回転して、カートリッジ制御装置のカートリッジ挿入口と対向する位置に移動し、挿入された情報記録カートリッジを反対方向に排出することにより、情報記録カートリッジを正規方向からカートリッジ制御装置に自動装填する。
【０００９】
しかし、ＭＩＣ又はＣＭ等のメモリモジュールを内蔵した情報記録カートリッジの後部にはどこにも切り欠きがない故、従来の物理的に誤挿入を防止する機構を適用することが出来なかった。
本発明は、ＭＩＣ又はＣＭ等のメモリモジュールを内蔵した情報記録カートリッジを後部から挿入する機構において、情報記録カートリッジの挿入方向が正しいか否かを判定し、判定情報を出力する信頼性の高いカートリッジ誤挿入防止装置を提供することを目的とする。
本発明は、上記のカートリッジ誤挿入防止装置を搭載した信頼性の高いカートリッジオートチェンジャ及びオートチェンジャ付きカートリッジ自動制御装置を提供することを目的とする。
【課題を解決するための手段】
【００１０】
上記問題を解決するために、本発明は以下の構成を有する。請求項１に記載の発明は、所定の厚さでほぼ矩形の平面形状を有しその前部の左右いずれかの隅に誤挿入防止用切り欠き部を有する筐体と、前記筐体の内部に格納された記録媒体と、管理情報が記録されているメモリモジュールと、前記筐体の後部の左右いずれかに変位した所定の位置に配置された前記メモリモジュールの無線通信用アンテナと、を有する情報記録カートリッジを、後部からカートリッジ収納部に挿入した場合に前記メモリモジュールの無線通信用アンテナが通過する経路上において、又は情報記録カートリッジが後部からカートリッジ収納部に格納された状態において、前記メモリモジュールと無線通信可能な位置に配置された管理情報読み取り部と、前記管理情報読み取り部が前記記録媒体の管理情報を読み取るか否かに基づいて、前記情報記録カートリッジの挿入方向が正しいか否かを判定し、判定情報を出力する判定部と、を有することを特徴としたカートリッジ誤挿入防止装置である。
【００１１】
請求項２に記載の発明は、所定の厚さでほぼ矩形の平面形状を有しその前部の左右いずれかの隅に誤挿入防止用切り欠き部を有する筐体と、前記筐体の内部に格納された記録媒体と、管理情報が記録されているメモリモジュールと、前記筐体の後部の左右いずれかに変位した位置に配置された前記メモリモジュールの無線通信用アンテナと、を有する情報記録カートリッジを、後部を前にして挿入された状態で載置するための複数のカートリッジ収納部と、複数の前記カートリッジ収納部の中から選択された前記カートリッジ収納部を前記情報記録カートリッジをユーザが挿入し又は取り出すための第１の位置に移動させ、複数の前記カートリッジ収納部の中から選択された前記カートリッジ収納部を、前記記録媒体に対して情報を記録及び／又は再生するカートリッジ制御装置のカートリッジ挿入口と対向する位置である第２の位置に移動させる、移動機構と、前記第１の位置、前記第２の位置及び各カートリッジ収納部の中の少なくとも１箇所に配置された請求項１に記載のカートリッジ誤挿入防止装置と、を有することを特徴とするカートリッジオートチェンジャである。
【００１２】
請求項３に記載の発明は、請求項２に記載のオートチェンジャと、前記情報記録カートリッジを前部を前にして挿入された状態で載置するための第２のカートリッジ収納部と、前記誤挿入防止用切り欠き部を用いて前記情報記録カートリッジが正しい方向に挿入されたか否かを判定し又は前記情報記録カートリッジが誤った方向から挿入されることを防止する第２のカートリッジ誤挿入防止装置と、前記記録媒体に対して情報を記録及び／又は再生する制御部と、を有するカートリッジ制御装置と、を有することを特徴とするオートチェンジャ付きカートリッジ自動制御装置である。
【００１３】
請求項４に記載の発明は、前記オートチェンジャ付きカートリッジ自動制御装置は、カートリッジ挿入口に前記情報記録カートリッジを収納した状態において自動的に閉じる蓋を更に有し、前記判定部が前記情報記録カートリッジの挿入方向が正しくないと判定した場合、前記オートチェンジャ付きカートリッジ自動制御装置は前記蓋を閉じないことを特徴とする請求項３に記載のオートチェンジャ付きカートリッジ自動制御装置である。
【００１４】
請求項５に記載の発明は、前記オートチェンジャ付きカートリッジ自動制御装置は、表示部を更に有し、前記判定部が前記情報記録カートリッジの挿入方向が正しくないと判定した場合、前記表示部は前記情報記録カートリッジの挿入方向が誤っていることを表示することを特徴とする請求項３に記載のオートチェンジャ付きカートリッジ自動制御装置である。
【発明の効果】
【００１５】
本発明によれば、ＭＩＣ又はＣＭ等のメモリモジュールを内蔵した情報記録カートリッジを後部から挿入する機構において、情報記録カートリッジの挿入方向が正しいか否かを判定し、判定情報を出力するカートリッジ誤挿入防止装置を実現できるという有利な効果が得られる。情報記録カートリッジが有するメモリモジュールから管理情報を読み取る既存の管理情報読み取り装置を利用することで、誤挿入防止のための特別な部品や機構を必要としない安価なカートリッジ誤挿入防止装置を実現できるという有利な効果が得られる。
本発明によれば、上記のカートリッジ誤挿入防止装置を搭載した信頼性の高いカートリッジオートチェンジャ及びオートチェンジャ付きカートリッジ自動制御装置を実現できるという有利な効果が得られる。
【発明を実施するための最良の形態】
【００１６】
以下本発明の実施をするための最良の形態を具体的に示した実施の形態について、図面とともに記載する。
【００１７】
《実施の形態》
図１〜図３を用いて、本発明の実施の形態のカートリッジ誤挿入防止装置、カートリッジオートチェンジャ及びオートチェンジャ付きカートリッジ自動制御装置を説明する。図１は、本発明の実施の形態のオートチェンジャ付きカートリッジ自動制御装置（テープライブラリ装置）の概略的な構成を示す図である。図１を用いて、テープライブラリ装置の構成を説明する。
【００１８】
図１において、１はテープライブラリ装置（オートチェンジャ付きカートリッジ自動制御装置）である。テープライブラリ装置１は、情報記録カートリッジ３に対して情報を記録及び／又は再生するカートリッジ制御装置２と、カートリッジオートチェンジャとを有する。カートリッジオートチェンジャは、管理情報読み取り部４、複数（実施の形態では６個）のカートリッジ収納部１３を載置したターンテーブル（移動機構）５、判定部１４、フロントパネル７を有する。テープライブラリ装置１は、カートリッジオートチェンジャに搭載した情報記録カートリッジ３をユーザが設定したプログラムに従って任意に選択してカートリッジ制御装置２に装着し、その記録媒体に記録された情報を読み取り、出力する。テープライブラリ装置１は、カートリッジオートチェンジャに搭載した情報記録カートリッジ３をユーザが設定したプログラムに従って任意に選択してカートリッジ制御装置２に装着し、外部から入力した情報をその記録媒体に記録することもできる。
実施の形態の情報記録カートリッジ３は、磁気記録媒体を内蔵し、その上面の後部右側の裏の所定の位置にメモリモジュール及びその無線通信用アンテナ６を有する。実施の形態において、情報記録カートリッジ３の磁気記録媒体は、１リールタイプの磁気テープである。
【００１９】
Ａは情報記録カートリッジ３がカートリッジ制御装置２に正しく装填される方向（以下、正規方向という）、Ｂは情報記録カートリッジ３をテープライブラリ装置１から取り出す方向、Ｃはターンテーブル５の回転方向、Ｄは管理情報読み取り部４がメモリモジュール６と無線通信を行うことができる方向（無線通信の指向性）を示す。Ａ、Ｂの矢印の先端方向が、情報記録カートリッジ３の前部を示す。
【００２０】
カートリッジ収納部１３は、位置３ａ（第１の位置と呼ぶ。）及び位置３ｂ（第２の位置と呼ぶ。）において装着された情報記録カートリッジ３を格納する。ターンテーブル５は、Ｃの方向に回転して、カートリッジ収納部１３（情報記録カートリッジ３）を第１の位置３ａから第２の位置３ｂに移動させ、第２の位置３ｂから第１の位置３ａに移動させる。ターンテーブル５は、第１の位置３ａ及び第２の位置３ｂにおいて情報記録カートリッジ３を排出する排出機構を有する。
【００２１】
管理情報読み取り部４は、情報記録カートリッジ３の上面の後部右側の裏に貼り付けられたメモリモジュール６と無線通信を行い、メモリモジュール６に記録されている管理情報を読み取る。管理情報読み取り部４は、メモリモジュール６との無線通信において指向性Ｄを有し、Ｄの方向でのみ無線通信が可能である。管理情報読み取り部４は、情報記録カートリッジ３がカートリッジ収納部１３に正しく格納された状態における無線通信用アンテナ６の近傍に取り付けられている。管理情報読み取り部４とメモリモジュール６との無線通信の電波強度は微弱であり、通信上の指向性を有する故、情報記録カートリッジ３が誤った方向からカートリッジ格納部１３に挿入された場合、管理情報読み取り部４はメモリモジュール６と無線通信を行うことが出来ない。
実施の形態の構成に代えて、管理情報読み取り部４は、情報記録カートリッジ３が後部から正しい方向でカートリッジ格納部１３に挿入された場合に、メモリモジュールの無線通信用アンテナ６が通る経路の近傍に取り付けられていても良い。
【００２２】
判定部１４は、管理情報読み取り部４がメモリモジュール６から管理情報を読み取れた場合に、情報記録カートリッジ３が後部から正しい方向でカートリッジ格納部１３に挿入されたと判定し、管理情報読み取り部４が管理情報を読み取れない場合に、情報記録カートリッジ３が後部から正しい方向でカートリッジ格納部１３に挿入されていないと判定する。情報記録カートリッジ３がテープライブラリ装置１に挿入された場合、情報記録カートリッジ３が後部から正しい方向でカートリッジ格納部１３に挿入されたと判定部１４が判定した場合にのみ、ターンテーブル５は回転を許可される。
管理情報読み取り部４及び判定部１４は、カートリッジ誤挿入防止装置を構成する。
【００２３】
図１において、テープライブラリ装置１の第１の位置３ａから情報記録カートリッジ３を挿入する。ターンテーブル５は、第１の位置３ａでカートリッジ格納部１３に装着された情報記録カートリッジ３を回転させて、第２の位置３ｂに移動させる。第２の位置３ｂにおいて、ターンテーブル５は情報記録カートリッジ３を排出し、情報記録カートリッジ３をカートリッジ制御装置２に装着する。情報記録カートリッジ３を第２の位置３ｂにてカートリッジ前部から正規方向であるＡの方向で挿入させるためには、第１の位置３ａでは、情報記録カートリッジ３をカートリッジ後部からＢの方向で挿入しなければならない。
【００２４】
従来例と同一のカートリッジ制御装置２は、情報記録カートリッジ３を前部を前にして挿入された状態で載置するための第２のカートリッジ収納部と、誤挿入防止用切り欠き部を用いて情報記録カートリッジ３が正しい方向に挿入されたか否かを判定する第２のカートリッジ誤挿入防止装置１２と、記録媒体に対して情報を記録及び／又は再生する制御部と、を有する。
カートリッジ制御装置２は、再生（又は記録）を終えた情報記録カートリッジ３を排出し、第２の位置３ｂに位置するカートリッジ収納部１３に格納する。第２の位置３ｂにも、第１の位置３ａと同様のカートリッジ誤挿入防止装置が設けられている。第２の位置３ｂにおいて、情報記録カートリッジ３が後部から正しい方向でカートリッジ格納部１３に挿入されたと判定部１４が判定した場合、ターンテーブル５は回転を許可される。テープライブラリ装置１は、カートリッジオートチェンジャに搭載している不要になった情報記録カートリッジ３を第１の位置３ａから排出することもできる。
【００２５】
図３に、本実施の形態における情報記録カートリッジ３が挿入時に取り得る全８方向を示す。１０ａ、１０ｂ、１０ｄ、１０ｅ、１０ｆ、１０ｇの向きで挿入した場合、メモリモジュールの位置が不適切であるため、管理情報読み取り部４はメモリモジュール６から管理情報を読み取れず、判定部１４は情報記録カートリッジ３が誤挿入である（又は挿入されていない）と判断する。また、１０ａ、１０ｄ、１０ｅ、１０ｈの向きで挿入した場合は、メモリモジュール６の向きが不適切であるため、管理情報読み取り部４はメモリモジュール６の管理情報を読み取れず、判定部１４は情報記録カートリッジ３が誤挿入である（又は挿入されていない）と判断する。したがって、ユーザが情報記録カートリッジ３を正しい方向である１０ｃの向きで挿入した場合のみ、管理情報読み取り部４がメモリモジュール６の管理情報を読み取ることができ、判定部１４は情報記録カートリッジ３が誤挿入でないと判断する。
【００２６】
図２は、本発明の実施の形態のテープライブラリ装置１のフロントパネル７の構成を示す図である。フロントパネル７は、カートリッジ挿入口８と、表示部９とを有する。
判定部１４は、第１の位置３ａにおいて情報カートリッジ３がカートリッジ格納部１３に誤った方向から挿入されたと判定した場合、カートリッジ挿入口８の蓋を閉じない状態に維持する。表示部９は情報記録カートリッジ３の挿入方向が誤っていることを表示する。
【００２７】
実施の形態において、カートリッジ誤挿入防止装置は、第１の位置３ａ及び第２の位置３ｂに配置された。これに代えて、カートリッジ誤挿入防止装置は各カートリッジ収納部１３の中に配置されていても良い。
本発明のカートリッジ誤挿入防止装置は、所定の厚さでほぼ矩形の平面形状を有しその前部の左右いずれかの隅に誤挿入防止用切り欠き部を有する筐体と、前記筐体の内部に格納された記録媒体と、管理情報が記録されているメモリモジュールと、前記筐体の後部の左右いずれかに変位した所定の位置に配置された前記メモリモジュールの無線通信用アンテナと、を有する任意の情報記録カートリッジを後部から挿入する機構を有する任意の装置に適用できる。情報記録カートリッジは略正方形に限られず、左右の長さが異なる略矩形であっても良い。本発明は、上記の任意の情報記録カートリッジについてのカートリッジオートチェンジャ及びオートチェンジャ付きカートリッジ自動制御装置に適用できる。
実施の形態の情報記録カートリッジは磁気記録媒体であったが、これに限られず、光方式、光磁気方式等の任意の記録媒体であっても良い。
【産業上の利用可能性】
【００２８】
本発明のカートリッジ誤挿入防止装置は、例えばカートリッジオートチェンジャのカートリッジ誤挿入防止装置として有用である。本発明のカートリッジオートチェンジャ及びオートチェンジャ付きカートリッジ自動制御装置は、種々のカートリッジ式記録媒体のオートチェンジャ及びオートチェンジャ付きカートリッジ自動制御装置として有用である。
【図面の簡単な説明】
【００２９】
【図１】本発明の実施の形態のオートチェンジャ付きカートリッジ自動制御装置（テープライブラリ装置）の概略的な構成を示す図
【図２】本発明の実施の形態のテープライブラリ装置のフロントパネルの構成を示す図
【図３】情報記録カートリッジが、カートリッジオートチェンジャに挿入する時に取り得る方向を示す図
【図４】従来例によるカートリッジ制御装置のカートリッジ誤挿入防止装置の機能を説明するための図
【符号の説明】
【００３０】
１      テープライブラリ装置
２      カートリッジ制御装置
３      情報記録カートリッジ
３ａ    第１の位置に置かれた情報記録カートリッジ
３ｂ    第２の位置に置かれた情報記録カートリッジ
４      管理情報読み取り部
５      ターンテーブル
６      メモリモジュール及びその無線通信用アンテナ
７      テープライブラリ装置フロントパネル
８      自動ドア
９      表示部
１０ａ〜１０ｈ    情報記録カートリッジの全挿入方向(８方向を示す)を示す図
１１    情報記録カートリッジの誤挿入防止用切り欠き部
１２    カートリッジ制御装置のカートリッジ誤挿入防止装置
１３    カートリッジ格納部
１４    判定部
Ａ      情報記録カートリッジのカートリッジ制御装置への挿入方向
Ｂ      情報記録カートリッジをテープライブラリ装置から取り出す方向
Ｃ      ターンテーブルの回転駆動方向
Ｄ      管理情報読み取り装置とメモリモジュールの通信上の指向性
【図１】
2005116105.tif 000003
【図２】
2005116105.tif 000004
【図３】
2005116105.tif 000005
【図４】
2005116105.tif 000006